(57)【要約】【課題】蠅帳に代わる保冷材つきのコンパクトな折り畳み式の卓上用保冷装置を提供すること。【解決手段】２組のＵ字形の折り畳み自在の脚を有する支持脚に支持された保冷材載置台３と、上部から被せてその保冷材載置台全体を覆う折り畳み自在の保温シートカバー２からなる折り畳み式の卓上携帯保冷装置１であって、前記保冷材載置台の下に被保冷物を収納することができるものである。そして前記保冷材載置台には保冷材を載せる簀の子状の網棚３ａが設けられており、保温シートカバーの下端部には、防塵・防虫用のスカート２ｂが設けられている。【選択図】図１
0003136166.tif 000002
【実用新案登録請求の範囲】
【請求項１】
２組のＵ字形の回動折り畳み自在の脚を有する支持脚に支持された保冷材載置台と、保冷材載置用簀の子状網棚と、上部からその保冷材載置台全体を覆う折り畳み自在の保温シートカバーを有し、保冷材載置台の下に被保冷物を収納することを特徴とする折り畳み式卓上携帯保冷装置。
【請求項２】
折り畳み自在の保温シートカバーの下端部には防塵・防虫用のスカートが設けられていることを特徴とする請求項１記載の折り畳み式卓上携帯保冷装置。
【請求項３】
保冷材載置台を裏返しにして支持脚を折り畳んだときに、Ｕ字形の脚によって折り畳んだ保温シートカバーを挟持することができる請求項１又は２記載の折り畳み式卓上携帯保冷装置。
【考案の詳細な説明】
【技術分野】
【０００１】  この考案は、特に食事や小鉢の残り物を一時的に卓上に保存するための保冷装置に関するものである。
【背景技術】
【０００２】  従来より、少量の食事の余り物や小鉢類を卓上に置いたまま次の食事まで保存するための手段として、通気と防虫効果を有する「蠅帳」と呼ばれるものが使用されていた（例えば、特許文献１）。最近では冷蔵庫等の保冷装置が普及したため、このような従来の蠅帳は使用頻度が少なくなり次第に使用されなくなっており、蠅帳を組み込んだシステムキッチンも提案されている（例えば、特許文献２）。更に、電気装置を利用して卓上の保冷器に空気を送り込み温度制御するものも提案されている（特許文献３）。【０００３】  これに対して、食事の間だけ、鮮度を保ち保冷効果を提供するものとして、食物容器自体にドライアイス等の保冷剤を設けたものも提案されている（例えば、特許文献４）。
しかしながら、次第に世の中が核家族化し老人世帯が増えて少人数での生活形態が増加している昨今、食事の後片付けの時間を省略しさらに次の食事の支度を簡単にするために前に食べた食事の残り物、例えば朝食の残りご飯や小鉢類を、昼食までの少しの時間だけそのまま保存するため、簡便で更に安全な保冷効果のある従来の蠅帳に代わるものが要求されており、この要求を満たすものとして特許文献５が提案されているが、これは常に卓上に載置して置くため、不要な場合にも常に一定の卓上面積を専有し、収納するにしても常に大きな場所を占有するため余り簡便な装置とは言えない。【０００４】
【特許文献１】  特開平０９−１６４０３１号公報
【特許文献２】  登録実用新案第３１１０９５２号
【特許文献３】  登録実用新案第３０５４０４１号
【特許文献４】  特開２００２−１８１４２６号公報
【特許文献５】  特開平１０−２１１０７７号公報
【考案の開示】
【考案が解決しようとする課題】
【０００５】  この考案は、前記従来の蠅帳に代わる特許文献５に記載されたような保冷材つきの食器カバーに較べ、更にコンパクトな折り畳み式の卓上用保冷装置を提供することを目的とするものであり、折り畳み可能で携帯や収納に便利であると共に、ドライアイスはもとより、汎用されているパック入りの保冷材も利用出来るので卓上用の一時的な保冷装置として優れた利便性を有するものである。
【問題を解決するための手段】
【０００６】  この考案は、２組のＵ字形の折り畳み自在の回動脚を有する支持脚に支持された保冷材載置台と、上部から被せてその保冷材載置台全体を覆う折り畳み自在の保温シートカバーからなる折り畳み式の卓上携帯保冷装置であって、前記保冷材載置台の下に被保冷物を収納することができるものである。そして前記保冷材載置台には保冷材を載せる簀の子状の網棚が設けられており、保温シートカバーの下端部には、防塵・防虫用のスカートが設けられていることを特徴とするものである。
【考案の効果】
【０００７】  この考案は、折り畳み可能で携帯や収納に便利であると共に、ドライアイスはもとより、汎用されているパック入りの保冷材も利用出来ると共に、不使用時の収納に際しては保温シートカバーを折り畳み、保冷材載置台を裏返しにして、折り畳んだ脚で保温シートカバーを挟むことにより保温シートカバーを固定して、そのまま引き出しや収納棚に収納することが出来るので、必要時に使用する卓上用保冷装置としてコンパクトで優れた利便性を有する効果を奏するものである。
【考案を実施するための最良の形態】
【０００８】  以下、実施例に沿ってこの考案の実施形態を説明する。
図１はこの考案の卓上保冷装置１の使用例を示す部分断面説明図で、図２はこの考案の卓上保冷装置１を折り畳んで収納する場合の説明図である。【０００９】  先ず、図３〜５について説明をする。図３は保冷材載置台の組み立て斜視図であって、保冷材載置台３は、簀の子状の網棚３ａと載置台の裏側に設けた回動軸受３ｃと、この軸受けに係合するＵ字状の回動脚３ｂを有している。Ｕ字状の回動脚３ｂは、図３，図４に見られるように筒状の支持体に回動軸受用の横孔３ｅを穿ち、Ｕ字状の回動脚３ｂの先端屈曲部３ｆを軸として挿入し、起伏自在の回動軸受を構成しており、Ｕ字状の回動脚３ｂは、内側方向に付勢された弾性力を有し、回転軸受３ｃの筒状支持体を両側から挟み付けるように作用して筒状支持体の側面に設けた平面３ｇにクリックストップ機能を持たせた周知の回動折り畳み機構である。【００１０】  図４は、図３の保冷材載置台の回動脚３ｂを折り畳んだ状態を示す底面図である。
この図に示す通り、回動脚３ｂは必要に応じて折り畳むことができるので、保冷材載置台自体をコンパクトな扁平の板状にして持ち運び又は収納することが出来る。
なお、回動脚３ｂは、回動折り畳みができる機構であればこの実施例に特定されることはない。【００１１】  図５は、開閉保温傘の開いた状態の斜静である。２は折り畳み式の開閉保温傘で、この開閉傘２は周知の蠅帳に使用されているものと同じ折り畳み機構を有する開閉傘である。骨組みの上に蚊帳の代わりにスポンジとアルミ箔を貼り合わせた周知の保温シート２ａを張ったものであり、裾には防虫兼防塵用のスカート２ｂが設けられている。【００１２】  図６は、この開閉傘２を折り畳んだ状態を示したもので、通常の蠅帳と全く違和感のない折り畳み状態を示している。【００１３】  図１は前述したように、この考案の卓上保冷装置１の使用例を示す部分断面説明図で、裾に防虫兼防塵用のスカート２ｂを設けた保温傘２の内側には、複数の保冷材４を載せた載置台３が設置されており、この載置台３の下には、前に食べた食事の残り物、例えば朝食の残りご飯や小鉢類５等が置かれている。【００１４】  この網棚３ａの上の保冷材は、家庭の冷凍庫などに入れて凍らせて置くことにより必要なときに置取り出して使用する周知の保冷材で、数や形や大きさ保冷剤の種類も様々であるが特に限定されるものではなく必要に応じて選択使用すればよい。【００１５】  図２は、この考案の折り畳み収納状態を示す説明図である。この考案の卓上保冷装置１を運搬又は収納する場合には、保冷傘２を図６のように折り畳み、保冷剤を取り除き、載置台３を図のように裏返し、折り畳んだ開閉傘２をＵ字状の回動脚３ｂの間に入れてから両方の回動脚３ｂを折り畳むと図のように開閉傘２を上から押さえつけて固定することができる。したがって、このままコンパクトな状態で運搬又は収納を行うことが出来るのである。載置台から取り除いた保冷材は、再び冷凍庫に入れて次の機会に使用することができる。
【図面の簡単な説明】
【００１６】
【図１】この考案の卓上保冷装置の使用例を示す部分断面説明図である。
【図２】この考案の卓上保冷装置１を折り畳んで収納する場合の説明図である。
【図３】この考案の保冷材載置台の組み立て斜視図である。
【図４】この考案の保冷材載置台の回動脚３ｂを折り畳んだ状態を示す底面図である。
【図５】この考案の折り畳み式の開閉保温傘の開いた状態を示す斜視図である。
【図６】この考案の開閉傘を折り畳んだ状態を示す説明図である。
【符号の説明】
【００１７】  １・・・折り畳み式卓上携帯保温装置
２・・・開閉保温傘
２ａ・・・保温シート
２ｂ・・・スカート
３・・・保冷材載置台
３ａ・・・網棚
３ｂ・・・Ｕ持形の支持脚
４・・・保冷材
【図１】
0003136166.tif 000003
【図２】
0003136166.tif 000004
【図３】
0003136166.tif 000005
【図４】
0003136166.tif 000006
【図５】
0003136166.tif 000007
【図６】
0003136166.tif 000008